(57)【要約】【課題】反射部の画素電極と透過部の画素電極との間の電気的接続が良好に維持され、しかも広視野角が達成できるＶＡ方式の半透過型液晶表示パネルを提供すること。【解決手段】本発明のＶＡ方式の半透過型液晶表示パネル１０Ａは、反射部１９と透過部２０とを有し、反射部１９の画素電極１６ａと透過部２０の画素電極１６ｂの間に連結部２５の画素電極１６ｃを有し、反射部１９の画素電極１６ａの下に反射板２２を有するアレイ基板と、カラーフィルタ基板と、を備え、反射板２２は連結部２５の画素電極１６ｃの下部を透過部２０側に向かって延在されていることを特徴とする。【選択図】  図１
2008268622.tif 000002
【特許請求の範囲】
【請求項１】
反射部と透過部とを有し、前記反射部の画素電極と前記透過部の画素電極の間に連結部
の画素電極を有し、前記反射部の画素電極の下に反射板を有するアレイ基板と、
カラーフィルタ基板と、
を備えた垂直配向方式の半透過型液晶表示パネルであって、
前記反射板は前記連結部の画素電極の下部を透過部側に向かって延在されていることを
特徴とする垂直配向方式の半透過型液晶表示パネル。
【請求項２】
前記反射部における前記反射部と透過部とが対峙する辺において、前記反射部の画素電
極は前記反射板のエッジ部分を覆うように形成されていることを特徴とする請求項１に記
載の垂直配向方式の半透過型液晶表示パネル。
【請求項３】
前記連結部の画素電極は前記反射板のエッジの延在方向に沿って前記反射板のエッジを
被覆していることを特徴とする請求項１に記載の垂直配向方式の半透過型液晶表示パネル
。
【請求項４】
前記反射板のエッジは前記反射部内に延びており、前記反射部の画素電極は前記反射部
内の反射板のエッジを被覆していることを特徴とする請求項３に記載の垂直配向方式の半
透過型液晶表示パネル。
【請求項５】
前記反射板は透過部内まで延在されていることを特徴とする請求項１に記載の垂直配向
方式の半透過型液晶表示パネル。
【請求項６】
前記カラーフィルタ基板の少なくとも透過部に対応する位置には、液晶分子の配向を規
制するための配向規制手段が設けられていることを特徴とする請求項１〜５のいずれかに
記載の垂直配向方式の半透過型液晶表示パネル。
【発明の詳細な説明】
【技術分野】
【０００１】
本発明は、垂直配向(ＶＡ：Vertically Aligned)方式の半透過型液晶表示パネルに関し
、特に反射部の画素電極と透過部の画素電極との間の電気的接続が良好に維持され、しか
も広視野角が達成できるＶＡ方式の半透過型液晶表示パネルに関する。
【背景技術】
【０００２】
液晶表示パネルは、自ら発光しないために、バックライトを備えた透過型の液晶表示装
置が多く使用されている。しかし、バックライトは消費電力が大きいため、特に携帯型の
液晶表示パネルについてはバックライトを必要としない反射型の液晶表示パネルが用いら
れている。この反射型液晶表示パネルは、外光を光源として用いるために、暗い室内など
では見え難くなってしまう。そこで、近年に至り特に透過型と反射型の性質を併せ持つ半
透過型の液晶表示装置の開発が多く進められてきている。
【０００３】
この半透過型の液晶表示パネルは、一つの画素領域内に画素電極を備えた透過部と画素
電極及び反射板の両方を備えた反射部を有しており、暗い場所においてはバックライトを
点灯して透過部を利用して画像を表示し、明るい場所においてはバックライトを点灯する
ことなく反射部において外光を利用して画像を表示する。そのため、半透過型の液晶表示
パネルは、常時バックライトを点灯する必要がなくなるので、消費電力を大幅に低減させ
ることができるという利点を有している。
【０００４】
ところで、携帯電話等に代表されるモバイル機器における小型の表示部には、その使用
者が限定されていること等から、液晶表示パネルに対する広視野角の要求は従来さほど高
くはなかった。しかし、最近ますます高機能化するモバイル機器において、表示部におけ
る液晶表示パネルの広視野角の要求が急激に高まってきている。このようなモバイル機器
に対する広視野角化の要求に基づき、従来モバイル機器に多用されていたＴＮ（Twisted 
Nematic）方式の液晶表示パネルに換えて、ＶＡ方式の透過型液晶表示パネルや半透過型
液晶表示パネルの開発も最近では進められてきている（下記特許文献１、２参照）。
【０００５】
このＶＡ方式の半透過型液晶表示パネルは、透過部側の画素電極と反射部側の画素電極
とが幅の狭い連結部の画素電極によって接続されており、必要に応じて透過部及び反射部
に対応するカラーフィルタ基板側にそれぞれ突起ないしスリットからなる配向規制手段が
設けられている。このＶＡ方式の半透過型液晶表示パネルでは、アレイ基板における連結
部、透過部の画素電極及び反射部の画素電極のそれぞれエッジ部がアレイ基板側の配向規
制手段を形成する。従って、ＶＡ方式の半透過型液晶表示パネルは、カラーフィルタ側に
も配向規制手段が形成されているためもあり、液晶分子がこれらの配向規制手段の周囲全
体に亘って傾くように配向規制されるので、視野角が非常に広くなるという特性を備えて
いる。
【特許文献１】特開２００６−１８４３３４号公報
【特許文献２】特開２００４−０６９７６７号公報
【発明の開示】
【発明が解決しようとする課題】
【０００６】
しかしながら、上述のような従来のＶＡ方式の半透過型液晶表示パネルにおいて、反射
部の画素電極と透過部の画素電極との間の電気的接続が確保されず、透過部の画素電極に
正常に電圧が印加されない場合が生じることが見出された。発明者等はこの原因について
種々検討を重ねた結果、以下のような理由によるものであることを見出した。この理由を
図９及び図１０を用いて説明する。
【０００７】
なお、図９は従来例のＶＡ方式の半透過型液晶表示パネルの連結部近傍の構成を説明す
る概略平面図であり、図１０は図９のＢ−Ｂ線に沿った模式断面図である。
【０００８】
従来のＶＡ方式の半透過型液晶表示パネル５０のアレイ基板ＡＲにおいては、反射部５
１の画素電極５２の下部に反射板５３が形成され、透過部５４の画素電極５５と反射部５
１の画素電極５２とは連結部５６の画素電極５７によって電気的に接続されている。そし
て、反射部５１の反射板５３、透過部５４の画素電極５５及び連結部５６の画素電極５７
は何れも層間膜５８の表面に形成されており、反射部５１の画素電極５２、透過部５４の
画素電極５５及び連結部５６の画素電極５７は何れも同一の材料で形成されている。なお
、図９には、カラーフィルタ基板（図示せず）に形成されている配向規制手段としての突
起５９及び６０も同時に示してある。
【０００９】
この反射部５１の画素電極５２、透過部５４の画素電極５５及び連結部５６の画素電極
５７は、予め反射部５１に反射板５３を形成した後、ＩＴＯ（Indium Tin Oxide）やＩＺ
Ｏ（Indium Zinc Oxide）等の透明導電性材料を真空蒸着法ないしスパッタリング法によ
って全面的に被覆し、更にエッチングすることによって同時に作製されている。この真空
蒸着法ないしスパッタリング法においては、高速移動するイオン等の衝突によってＩＴＯ
ないしＩＺＯが飛散して透明導電性膜が形成される。
【００１０】
従って、反射部５１の反射板５３のエッジ部には段差が生じているため、反射部５１の
画素電極５２が反射板５３の表面を乗り越える部分、すなわち、図９及び図１０において
破線で囲んだ領域Ｙにおいて、透明導電性材料の厚さが薄くなってしまうことがある。そ
れ故、ＶＡ方式の半透過型液晶表示パネル５０の製造段階ないし使用時にこの領域Ｙで透
明導電性材料に切断が生じてしまい、反射部５１の画素電極５２と透過部５４の画素電極
５５との間の電気的導通が切れてしまうことがある。
【００１１】
また、反射部５１の画素電極５２、透過部５４の画素電極５５及び連結部５６の画素電
極５７は、アレイ基板ＡＲの表面全体に亘って透明導電性膜を形成した後に湿式エッチン
グすることによって形成される。この湿式エッチングの際に段差の両側の境界からエッチ
ング液が浸透してエッチングされてしまうこともあるため、製造時ないし使用時に領域Ｙ
で透明導電性材料が切断される可能性がより大きくなるわけである。
【００１２】
本発明は上述のような従来のＶＡ方式の半透過型液晶表示パネルの問題点を解決すべく
なされたものであり、その目的は、反射部の画素電極と透過部の画素電極との間の電気的
接続が良好に維持され、しかも広視野角が達成できるＶＡ方式の半透過型液晶表示パネル
を提供することにある。
【課題を解決するための手段】
【００１３】
上記課題を解決するため、本発明のＶＡ方式の半透過型液晶表示パネルは、反射部と透
過部とを有し、前記反射部の画素電極と前記透過部の画素電極の間に連結部の画素電極を
有し、前記反射部の画素電極の下に反射板を有するアレイ基板と、カラーフィルタ基板と
、を備えたＶＡ配向方式の半透過型液晶表示パネルであって、前記反射板は前記連結部の
画素電極の下部を透過部側に向かって延在されていることを特徴とする。
【００１４】
本発明のＶＡ方式の半透過型液晶表示パネルによれば、反射板が連結部の画素電極の下
部を透過部側に向かって延在されているため、画素電極が反射板を乗り越える部分の長さ
が従来例のＶＡ方式の半透過型液晶表示パネルと比すると長くなる。そのため、画素電極
が反射板を乗り越える部分が部分的に電気的に切断された状態となることがあっても、全
体としては反射部の画素電極と連結部の画素電極及び透過部の画素電極との間の電気的導
通が確保されるので、画素電極の信頼性が良好で長寿命かつ広視野角であるＶＡ方式の半
透過型液晶表示パネルが得られる。
【００１５】
また、本発明のＶＡ方式の半透過型液晶表示パネルにおいては、前記反射部における前
記反射部と透過部とが対峙する辺において、前記反射部の画素電極は前記反射板のエッジ
部分を覆うように形成されていることが好ましい。
【００１６】
このような態様のＶＡ方式の半透過型液晶表示パネルでは、連結部と反射部の境界部分
に反射板が存在しないようにできるので、連結部と反射部の境界部分で反射部の画素電極
が反射板を乗り越える領域が生じないようにすることができる。加えて、連結部の画素電
極と反射部の画素電極が反射板を乗り越えることなく直接電気的に接続されている部分が
形成できると共に、反射部の画素電極が反射板のエッジを乗り越える部分の長さを非常に
長くすることができる。そのため、より画素電極の信頼性が良好で長寿命なＶＡ方式の半
透過型液晶表示パネルが得られる。
【００１７】
また、本発明のＶＡ方式の半透過型液晶表示パネルにおいては、前記連結部の画素電極
は前記反射板のエッジの延在方向に沿って前記反射板のエッジを被覆していることが好ま
しい。
【００１８】
このような態様のＶＡ方式の半透過型液晶表示パネルでは、反射板の幅が連結部の幅よ
りも狭い状態であるか或いは反射板の幅が連結部と同じ幅であっても反射板の中央部にス
リットが形成された状態となる。そのため、連結部の画素電極が反射板のエッジを乗り越
える部分の長さを非常に長くすることができるので、より画素電極の信頼性が良好で長寿
命なＶＡ方式の半透過型液晶表示パネルが得られる。
【００１９】
また、本発明のＶＡ方式の半透過型液晶表示パネルにおいては、前記反射板のエッジは
前記反射部内に延びており、前記反射部の画素電極は前記反射部内の反射板のエッジを被
覆していることが好ましい。
【００２０】
このような態様のＶＡ方式の半透過型液晶表示パネルでは、反射部内においても反射板
のエッジ部を形成して反射部の画素電極を反射板のエッジ部を乗り越えさせることができ
るため、反射部の画素電極が反射板を乗り越える部分の長さを長くすることができる。そ
のため、より画素電極の信頼性が良好で長寿命なＶＡ方式の半透過型液晶表示パネルが得
られる。
【００２１】
また、本発明のＶＡ方式の半透過型液晶表示パネルにおいては、前記反射板は透過部内
まで延在されていることが好ましい。
【００２２】
このような態様のＶＡ方式の半透過型液晶表示パネルでは、透過部の画素電極も反射板
のエッジを乗り越える部分を形成できるため、より画素電極が反射板のエッジを乗り越え
る部分の長さを長くすることができる。そのため、より画素電極の信頼性が良好で長寿命
なＶＡ方式の半透過型液晶表示パネルが得られる。
【００２３】
また、本発明のＶＡ方式の半透過型液晶表示パネルにおいては、前記カラーフィルタ基
板の少なくとも透過部に対応する位置には、液晶分子の配向を規制するための配向規制手
段が設けられていることが好ましい。
【００２４】
このような態様のＶＡ方式の半透過型液晶表示パネルでは、アレイ基板側では反射部の
画素電極、透過部の画素電極及び連結部の画素電極のそれぞれのエッジ部分で液晶分子の
配向規制が行われるだけでなく、カラーフィルタ基板側の配向規制手段によっても液晶分
子の配向規制が行われる。そのため、より広視野角のＶＡ方式の半透過型液晶表示パネル
が得られる。なお、この配向規制手段はカラーフィルタ基板の対向電極の表面に設けた突
起であっても、或いは、対向電極に形成したスリットであっても、同様の効果を奏する。
【発明を実施するための最良の形態】
【００２５】
以下、本発明を実施するための最良の形態を実施例及び図面を用いてより具体的に説明
する。なお、以下に示す実施例は、本発明の技術思想を具体化するためのＶＡ方式の半透
過型液晶表示パネルを示すものであるが、本発明をここに記載したものに限定することを
意図するものではなく、本発明は特許請求の範囲に示した技術思想を逸脱することなく種
々の変更を行ったものにも均しく適用し得るものである。
【実施例１】
【００２６】
実施例１に係るＶＡ方式の半透過型液晶表示パネル及びその変形例を図１〜図６を用い
て説明する。
【００２７】
なお、図１は、実施例１に係るＶＡ方式の半透過型液晶表示パネルの１サブ画素部分を
カラーフィルタ層を透視して表した概略平面図であり、図２は図１のＡ−Ａ線に沿った断
面図であり、また、図３は図１の破線で囲んだ領域Ｘ部分の拡大図である。更に、図４〜
図６は、それぞれ実施例１の変形例における図３に対応する拡大図である。
【００２８】
まず、図１〜図３に基づいて実施例１に係るＶＡ方式の半透過型液晶表示パネル１０Ａ
について説明する。このＶＡ方式の半透過型液晶表示パネル１０Ａは、互いに対向配置さ
れたアレイ基板ＡＲ及びカラーフィルタ基板ＣＦを備えている。アレイ基板ＡＲは、ガラ
ス基板等からなる透明基板１１の表面にマトリクス状に形成された複数本の走査線１２及
び信号線１３と、これらの複数本の走査線１２間に走査線１２と平行に設けられた補助容
量線１４が設けられている。そして、走査線１２と信号線１３とで囲まれたそれぞれの領
域には、ソース電極Ｓ、ゲート電極Ｇ、ドレイン電極Ｄ、及び半導体層１５とからなる薄
膜トランジスタ（ＴＦＴ：Thin Film Transistor）と、画素電極１６とが形成されている
。ここで、それぞれの走査線１２と信号線１３とで囲まれた領域が１サブ画素に相当する
。
【００２９】
走査線１２、ゲート電極Ｇ、補助容量線１４及び露出している透明基板１１の表面は第
１の絶縁膜（ゲート絶縁膜ともいわれる）１７によって被覆されている。この第１の絶縁
膜１７の表面には、例えばアモルファスシリコン（ａ−Ｓｉ）層とその表面に形成された
オーミックコンタクト層となるｎ＋ａ−Ｓｉ層とからなる半導体層１５、ソース電極Ｓ及
びドレイン電極ＤからなるＴＦＴが形成されているとともに、ソース電極Ｓに連なる信号
線１３も形成されている。更に、ＴＦＴ及び信号線１３の表面と、露出している第１の絶
縁膜の表面全体が第２の絶縁膜（保護絶縁膜ないしパッシベーション膜ともいわれる）１
８によって被覆されている。そして、ドレイン電極Ｄは第１の絶縁膜１７の表面を補助容
量線１４の上部にまで延在されており、このドレイン電極Ｄと補助容量線１４との間で補
助容量が形成されている。
【００３０】
更に、この第２の絶縁膜１８の表面には、反射部１９においては表面に微細な凹凸部が
形成され、透過部２０においては表面が平坦に形成されたフォトレジスト等の有機絶縁膜
からなる層間膜（平坦化膜ともいわれる）２１が形成されている。そして、反射部１９に
おいては、層間膜２１の表面にはアルミニウム、アルミニウム合金等からなる反射板２２
が形成され、補助容量線１４上に位置する第２の絶縁膜１８及び層間膜２１の表面にはコ
ンタクトホール２３が形成されている。なお、この実施例１のＶＡ方式の半透過型液晶表
示パネル１０Ａにおいては、反射板２２が反射部１９側から透過部２０側に向かって延在
された部分２２ａが形成されているが、この反射板２２の延在された部分２２ａの詳細に
ついては後述する。
【００３１】
この反射部１９の反射板２２の表面及び透過部２０の層間膜２１の表面にはＩＴＯ（In
dium Tin Oxide）やＩＺＯ（Indium Zinc Oxide）等の透明電極からなる画素電極１６が
形成されている。また、画素電極１６は反射部１９に形成されたコンタクトホール２３を
介してドレイン電極Ｄと電気的に接続されている。なお、図１〜図３においては反射部１
９の凹凸部は省略してある。
【００３２】
また、この実施例１の半透過型液晶表示パネル１０Ａにおいては、画素電極１６の反射
部１９と透過部２０の境界領域に液晶分子の配向を規制するためのスリット２４が設けら
れている。従って、画素電極１６は、実質的に反射部１９の画素電極１６ａと透過部２０
の画素電極１６ｂに分割されており、反射部１９の画素電極１６ａと透過部２０の画素電
極１６ｂとは連結部２５の画素電極１６ｃを介して電気的に接続されている。この連結部
２５の画素電極１６ｃは、この実施例１のＶＡ方式の半透過型液晶表示パネル１０Ａでは
隣り合う信号線１３の間の略中間に位置しており、また連結部２５の画素電極１６ｃの幅
は走査線１２が延在する方向における画素電極１６の幅よりも大幅に狭くなっている。
【００３３】
そして、反射部１９側においては、層間膜２１の反射板２２が存在する位置の下側に補
助容量線１４が配置され、また、平面視で、反射板２２及び反射部の画素電極１６ａは、
隣接する画素の反射板及び画素電極とは接しないように、走査線１２及び信号線１３とは
部分的に重複するように設けられ、かつ、反射板２２と反射部１９の画素電極１６ａとは
互いに重なるように実質的に同じ形状に設けられている。更に、透過部２０側における画
素電極１６ｂは、隣接する画素の画素電極及び反射板とは接しないように、かつ、信号線
とは実質的に重複しないように信号線１３に沿うように設けられ、また、走査線１２とは
若干重なるように形成されている。
【００３４】
更に、この実施例の半透過型液晶表示パネル１０Ａにおいては、透過部２０の画素電極
１６ｂは、反射部１９の画素電極１６ａよりも面積が大きくされている。このように、透
過部の画素電極１６ｂの面積を大きくした理由は、携帯電話機用の半透過型液晶表示パネ
ルは、高精細であってしかも画像表示が多いため、バックライトを常時点灯して実質的に
透過型液晶表示パネルとして使用される機会が多くなっているためである。そして、画素
電極１６の表面をも含み、アレイ基板ＡＲの表面には全ての表示領域を覆うようにして垂
直配向膜（図示せず）が積層されている。
【００３５】
また、カラーフィルタ基板ＣＦのガラス基板等からなる透明基板２６の表示領域上には
、それぞれの画素に対応して形成される例えば赤色（Ｒ）、緑色（Ｇ）、青色（Ｂ）のう
ち何れか一色からなるストライプ状のカラーフィルタ層２７が設けられている。更に、反
射部１９と透過部２０とで同じ厚さのカラーフィルタ層２７を使用するため、反射部１９
のカラーフィルタ層２７の一部分に所定の厚さのトップコート層２８が設けられている。
このトップコート層２８は、反射部１９全体にわたって設けられており、その厚さは反射
部１９における液晶層３２の厚さ、いわゆるセルギャップが透過部２０のセルギャップの
半分となるようにされている。また、トップコート層２８の表面及び露出しているカラー
フィルタ層２７表面はＩＴＯないしＩＺＯからなる共通電極２９で被覆されている。
【００３６】
さらに、透過部２０に位置する共通電極２９の表面の一部には、それぞれ透過部２０の
画素電極１６ｂに対向する位置に、液晶分子の配向を規制するための底面が長十字状の突
起３０が設けられているとともに、反射部１９の共通電極２９の表面のコンタクトホール
２３に対向する位置にも底面が円形状の突起３１が設けられている。そして、これらの共
通電極２９、突起３０及び３１の表面には垂直配向膜（いずれも図示せず）が積層されて
いる。このように、実施例１のＶＡ方式の半透過型液晶表示パネル１０Ａは、透過部２０
、反射部１９の領域にそれぞれ別々に形成された突起３０、３１によって、透過部２０、
反射部１９のそれぞれの領域で液晶分子の配向が規制されるようになっている。
【００３７】
そして、前記アレイ基板ＡＲ及びカラーフィルタ基板ＣＦを互いに対向させ、両基板の
周囲にシール材を設けることにより両基板を貼り合せ、両基板間に負の誘電異方性を有す
る液晶を充填することにより実施例１のＶＡ方式の半透過型液晶表示パネル１０Ａとなる
。なお、アレイ基板ＡＲの下方には、図示しない周知の光源、導光板、拡散シート等を有
するバックライト装置が配置されて実施例１のＶＡ方式の半透過型液晶表示パネルが完成
される。
【００３８】
なお、実施例１では、カラーフィルタ基板ＣＦの透過部に対向する位置だけでなく、反
射部のコンタクトホール２３に対向する位置にも液晶分子の配向を規制するための配向規
制手段としての突起３１を設けた。このような構成を採用した理由は次のとおりである。
【００３９】
コンタクトホール２３内の液晶分子は、電界無印加時でも傾いており、コンタクトホー
ル２３の周囲の液晶分子の配向状態とは差異が生じる。しかも、コンタクトホール２３は
反射部１９に配置されたＴＦＴのドレイン電極Ｄと反射部１９の画素電極１６ａとの間の
電気的導通を確実に行うためにある程度の大きさが必要とされる。そのため、反射部１９
のコンタクトホール２３部分では液晶分子の配向が乱れているために表示画質が低下する
。しかしながら、カラーフィルタ基板ＣＦのコンタクトホールに対向する位置に液晶分子
の配向を規制するための配向規制手段を設けると、この配向規制手段によって強制的に液
晶分子の配向が規制されるため、反射部の表示画質の低下を抑制することができる。
【００４０】
この配向規制手段は、上述したように、カラーフィルタ基板ＣＦの共通電極２９の表面
に設けた突起３０及び３１であっても、或いは、共通電極２９に形成したスリットであっ
てもよい。特に、反射部の配向規制手段を共通電極２９の表面に設けた突起３１とした場
合、カラーフィルタ基板に平面視でこの突起３１の底面を被覆する大きさのブラックマト
リクスを形成すると、コンタクトホール２３部分からの反射光を遮光することができるた
め、より表示画質が良好となる。
【００４１】
なお、ＶＡ方式の半透過型液晶表示パネル１０Ａにおいては、本来液晶分子に電界が印
加されていない状態で垂直に配向されている限りは液晶層３２を光が透過することはない
。従って、画素電極１６に設けられたスリット２４の部分にも垂直配向膜が設けられてい
るので、このスリットの部分は光が透過することがないため、この実施例のＶＡ方式の半
透過型液晶表示パネル１０Ａとしては、補助容量が大きくなるようにするために、補助容
量線１４を反射板２２の下部から更に透過部２０側のスリット２４側にまで延長してある
。
【００４２】
また、この実施例１のＶＡ方式の半透過型液晶表示パネル１０Ａにおいては、透過部２
０側における画素電極１６ｂを信号線１３とは実質的に重複しないように信号線１３に沿
うように設けた例を示した。しかしながら、透過部２０側における画素電極１６ｂを正確
に信号線１３に沿って設けることは技術的に困難であるため、透過部側の画素電極１６ｂ
と信号線１３との間に僅かな隙間が生じるようにしてもよく、逆にわずかに透過部側の画
素電極１６ｂと信号線１３とが重なるようにしてもよい。透過部側の画素電極１６ｂと信
号線１３との間に僅かな隙間が生じても、この隙間の部分には垂直配向膜が設けられてい
るため、この隙間の部分から光漏れすることはない。
【００４３】
ここで、実施例１のＶＡ方式の半透過型液晶表示パネル１０Ａの特徴点である反射板２
２が反射部１９側から透過部２０側に向かって延在された部分２２ａ等について説明する
。この反射板２２の延在された部分２２ａは、連結部２５の画素電極１６ｃの下部におい
て、反射部１９側から連結部２５と透過部２０との境界に至るまで同一幅で、かつ連結部
２５の幅よりも狭く形成されている。
【００４４】
このような構成とすると、画素電極１６が反射板２２ないし反射板２２の延在された部
分２２ａのエッジを乗り越える領域は、
（１）反射部１９と連結部２５との境界領域α、
（２）反射板２２の延在された部分２２ａの延在方向に沿った領域β、及び、
（３）反射板２２の延在された部分２２ａの先端部と透過部２０の境界領域γ、
となる。そのため、画素電極１６が反射板２２ないし反射板２２の延在された部分２２ａ
のエッジを乗り越える領域の長さは、図９及び図１０に示した従来例のＶＡ方式の半透過
型液晶表示パネル５０と比すると、非常に長くなる。
【００４５】
そのため、画素電極１６の形成時に画素電極１６が反射板２２ないし反射板２２の延在
された部分２２ａのエッジを乗り越える領域で部分的に薄くなって電気的に切断された状
態となることがあっても、全体としては反射部１９の画素電極１６ａと透過部２０の画素
電極１６ｂとの間の電気的導通が確保される。従って、反射部１９の画素電極１６ａと透
過部２０の画素電極１６ｂとの間の電気的接続が切断されることが少なくなるため、画素
電極１６の信頼性が良好で長寿命なＶＡ方式の半透過型液晶表示パネル１０Ａが得られる
。
【００４６】
なお、図１〜図３では、実施例１のＶＡ方式の半透過型液晶表示パネル１０Ａとして反
射板２２の延在された部分２２ａが連結部２５の画素電極１６ｃの下部において反射部１
９側から連結部２５と透過部２０との境界に至るまで同一幅で、かつ連結部２５の幅より
も狭く形成された例を示した。しかしながら、この反射板２２の延在された部分２２ａの
長さは、連結部２５の画素電極１６ｃの下部を透過部２０側に向かって延在されていれば
、任意である。
【００４７】
例えば、図４に示したＶＡ方式の半透過型液晶表示パネル１０Ｂのように反射板２２の
延在された部分２２ａが連結部２５の途中まで延在しているものであっても、図５に示し
たＶＡ方式の半透過型液晶表示パネル１０Ｃのように反射板２２の延在された部分２２ａ
が透過部２０内まで延在していてもよい。更には、図６に示したＶＡ方式の半透過型液晶
表示パネル１０Ｄのように反射板２２の延在された部分２２ａによるエッジ部が反射部１
９内から生じていてもよい。
【００４８】
特に、図５に示したＶＡ方式の半透過型液晶表示パネル１０Ｃの場合は、透過部２０の
画素電極１６ｂも反射板２２のエッジを乗り越える部分を形成できるため、より画素電極
１６が反射板のエッジを乗り越える部分の長さを長くすることができる。また、図６に示
したＶＡ方式の半透過型液晶表示パネル１０Ｄの場合は、反射部１９内においても反射板
２２のエッジ部を形成して反射部１９の画素電極１６ａを反射板２２のエッジ部を乗り越
えさせることができるため、画素電極１６が反射板２２を乗り越える部分の長さを長くす
ることができる。
【００４９】
このように、実施例１及びその変形例のＶＡ方式の半透過型液晶表示パネル１０Ａ〜１
０Ｄによれば、図９及び図１０に示した従来例のＶＡ方式の液晶表示パネルに比すると画
素電極１６が反射板２２のエッジを乗り越える部分の長さを長くすることができる。その
ため、製造時ないし使用時に反射部１９の画素電極１６ａと透過部２０の画素電極１６ｂ
間の電気的接続が切断される可能性が大幅に低下するので、画素電極１６の信頼性が良好
で長寿命なＶＡ方式の半透過型液晶表示パネル１０Ａ〜１０Ｄが得られる。
【実施例２】
【００５０】
実施例２のＶＡ方式の半透過型液晶表示パネルとしては、連結部の画素電極の下部を透
過部側に向かって延在されている反射板の延在された部分にスリットを形成し、このスリ
ットにより形成されたエッジ部を画素電極が乗り越えるようにした。この実施例２及びそ
の変形例のＶＡ方式の半透過型液晶表示パネルを図７及び図８を用いて説明する。
【００５１】
なお、図７は実施例２に係るＶＡ方式の半透過型液晶表示パネルの図３に対応する拡大
図である。また、図８は実施例２の変形例における図３に対応する拡大図である。
【００５２】
また、図７及び図８に示したＶＡ方式の半透過型液晶表示パネルにおいては、図１〜図
３に記載のＶＡ方式の半透過型液晶表示パネル１０Ａと同一の構成部分については同一の
参照符号を付与してその詳細な説明は省略する。
【００５３】
図７に示した実施例２のＶＡ方式の半透過型液晶表示パネル１０Ｅが図１〜図３に示し
たＶＡ方式の半透過型液晶表示パネル１０Ａと構成が相違する点は、反射板２２の延在さ
れた部分２２ａが連結部２５の画素電極１６ｃの下部を透過部側に向かって途中まで延在
されており、この反射板２２の延在された部分２２ａにスリット２２ｂが形成されている
点である。このように、反射板２２の延在された部分２２ａにスリット２２ｂを形成する
と、このスリット２２ｂによって形成された反射板２２のエッジを連結部２５の画素電極
１６ｃが乗り越える状態となる。
【００５４】
従って、実施例２のＶＡ方式の半透過型液晶表示パネル１０Ｅによれば、図９及び図１
０に示した従来例のＶＡ方式の半透過型液晶表示パネル５０と比すると、連結部２５の画
素電極１６ｃが反射板２２のエッジを乗り越える部分の長さを大幅に長くすることができ
る。そのため、より反射部１９の画素電極１６ａと透過部２０の画素電極１６ｂとの間の
電気的接続が良好に維持されたＶＡ方式の半透過型液晶表示パネル１０Ｅが得られる。
【００５５】
この実施例２のＶＡ方式の半透過型液晶表示パネル１０Ｅにおいては、反射板２２の延
在された部分２２ａに形成するスリット２２ｂの長さは任意である。例えば、図８に示し
たＶＡ方式の半透過型液晶表示パネル１０Ｆのように、反射板２２の延在された部分２２
ａに形成するスリット２２ｂを反射部１９内まで延在するようにしてもよい。このように
反射板２２の延在された部分２２ａに形成するスリット２２ｂを反射部１９内まで延在す
るようにすれば、反射部１９の画素電極１６ａも反射板２２のエッジを乗り越えるように
することができるので、画素電極１６が反射板２２のエッジを乗り越える部分の長さを大
幅に長くすることができる。
【図面の簡単な説明】
【００５６】
【図１】実施例１に係るＶＡ方式の半透過型液晶表示パネルの１サブ画素部分をカラーフィルタ層を透視して表した概略平面図である。
【図２】図１のＡ−Ａ線に沿った断面図である。
【図３】図１の破線で囲んだ領域Ｘ部分の拡大図である。
【図４】図３の変形例を示す図である。
【図５】図３の別の変形例を示す図である。
【図６】図３の更に別の変形例を示す図である。
【図７】実施例２に係るＶＡ方式の半透過型液晶表示パネルの図３に対応する拡大図である。
【図８】図７の変形例における図３に対応する拡大図である。
【図９】従来例のＶＡ方式の半透過型液晶表示パネルの連結部の構成を説明する概略平面図である。
【図１０】図９のＢ−Ｂ線に沿った模式断面図である。
【符号の説明】
【００５７】
１０Ａ〜１０Ｆ：半透過型液晶表示パネル  １１：透明基板  １２：走査線  １３：信号
線  １４：補助容量線  １５：半導体層  １６、１６ａ、１６ｂ、１６ｃ：画素電極  １
７：第１の絶縁膜  １８：第二の絶縁膜  １９：反射部  ２０：透過部  ２１：層間膜  
２２：反射板  ２２ａ：反射板の延在された部分  ２２ｂ：スリット  ２３：コンタクト
ホール  ２４：スリット  ２５：連結部  ２６：透明基板  ２７：カラーフィルタ層  ２
８：トップコート層  ２９：共通電極  ３０、３１：突起  
【図１】
2008268622.tif 000003
【図２】
2008268622.tif 000004
【図３】
2008268622.tif 000005
【図４】
2008268622.tif 000006
【図５】
2008268622.tif 000007
【図６】
2008268622.tif 000008
【図７】
2008268622.tif 000009
【図８】
2008268622.tif 000010
【図９】
2008268622.tif 000011
【図１０】
2008268622.tif 000012